(57)【要約】【課題】本発明は、寸法の異なるパネルに対応させて取り付けることのできる補強部材を提供する。【解決手段】補強部材１は、エレベータのかご室２を形成するパネル３，４，５にかご室２の外側から取り付けられる。補強部材１は、第１部材１１と第２部材１２とを備える。第１部材１１及び第２部材１２は、パネル３，４，５に固定される底壁１１ａ，１２ａおよびこの底壁１１ａ，１２ａの両縁から立ち上がる側壁１１ｂ，１２ｂをそれぞれ有する。第１部材１１と第２部材１２とは、互いに重ね合わされて底壁１１ａ，１２ａが延びる方向に摺動可能に嵌合している。第１部材１１と第２部材１２との重なり量をパネル３，４，５に合わせて調節された状態で互いに固定する。【選択図】    図２
2005041598.tif 000002
【特許請求の範囲】
【請求項１】
エレベータのかご室を形成するパネルに前記かご室の外側から取り付けられる補強部材において、
前記パネルに固定される底壁およびこの底壁の両縁から立ち上がる側壁をそれぞれ有する第１部材及び第２部材を備え、
前記第１部材と前記第２部材とが互いに重ね合わされて前記底壁が延びる方向に摺動可能に嵌合しており、
第１部材と第２部材との重なり量を前記パネルに合わせて調節された状態で互いに固定されることを特徴とする補強部材。
【請求項２】
前記第１部材の側壁の縁は、前記第１部材と重ね合わされる前記第２部材の側壁の縁を挟むように折り返されていることを特徴とする請求項１に記載の補強部材。
【請求項３】
前記第１部材と前記第２部材とは、それぞれの前記底壁が互いに離れる方向への移動を拘束する溝状の係合部をそれぞれの前記側壁に備えていることを特徴とする請求項１に記載の補強部材。
【請求項４】
前記第１部材と重なる前記第２部材の重なり部は、前記第１部材の底壁及び側壁に囲われる内側に接する大きさに形成されており、前記重なり部以外の底壁は、前記第１部材の底壁と面一に形成されていることを特徴とする請求項１から請求項３のいずれか１項に記載の補強部材。
【発明の詳細な説明】
【０００１】
【発明の属する技術分野】
本発明は、エレベータ用パネルにかごの外側から取り付けられる補強部材に関する。
【０００２】
【従来の技術】
エレベータのかご自体の重量を軽量化するために、かご室を形成するパネルには、スチール鋼板やステンレス鋼板などの薄い板材を使用している。この場合、パネルのたわみを防止するとともに、運行中に生じる振動で共振しないように、かごの外側からパネルに補強部材が取り付けられる。
【０００３】
補強部材は、パネルに接着剤や両面テープなどで貼り合わされ、補強部材の両端は、かごの枠にボルトなどで固定される。この補強部材は、一端から他端まで一続きの部材で作られている。
【０００４】
【発明が解決しようとする課題】
しかしながら、エレベータは、建物や乗員数などの仕様に応じて寸法が異なる場合がある。したがって、かごの枠やパネル及び補強部材は、各エレベータの仕様寸法に応じてその都度寸法の異なるものを作らなければならない。また、パネルが直接かご室の内装となる場合、同じ定格寸法のエレベータでもパネルの材質やパネル同士の継ぎ目の位置などが異なるものもある。
【０００５】
さらに、エレベータの設置費用を安くするために、製作工期の短縮や共通規格品による量産化が求められている。しかし、上述のように寸法が異なるパネルに対応させた補強部材まで在庫として保管する訳にはいかない。
【０００６】
そこで、本発明は、寸法の異なるパネルに対応させて取り付けることのできる補強部材を提供することを目的とする。
【０００７】
【課題を解決するための手段】
本発明に係る補強部材は、エレベータのかご室を形成するパネルにかご室の外側から取り付けられることを前提とする。補強部材は、パネルに固定される底壁およびこの底壁の両縁から立ち上がる側壁をそれぞれ有する第１部材及び第２部材を備え、第１部材と第２部材とが互いに重ね合わされて底壁が延びる方向に摺動可能に嵌合しており、第１部材と第２部材との重なり量をパネルに合わせて調節された状態で互いに固定される。
【０００８】
第１部材と第２部材を底壁に沿って摺動可能に嵌合させるために、第１部材の側壁の縁は、第２部材の側壁の縁を挟むように折り返す。または、第１部材と第２部材とは、それぞれの底壁が互いに離れる方向への移動を拘束する溝状の係合部をそれぞれの側壁に備える。
【０００９】
また、パネルに歪を生じさせること無く補強部材を取り付けるために、第１部材と重なる第２部材の重なり部は、第１部材の底壁及び側壁に囲われる内側に接する大きさに形成されており、重なり部以外の底壁は、第１部材の底壁と面一に形成する。
【００１０】
【発明の実施の形態】
本発明に係る第１の実施形態の補強部材１について、図１から図３を参照して説明する。補強部材１は、図１に示すように、エレベータのかご室２を形成するパネル３にかご室２の外側から取り付けられる。補強部材１が取り付けられるパネル３は、図１に示すように、かご室２の側壁のパネル３だけでなくかご室２の天井及び扉のパネル４，５にも適用される。さらに、補強部材１は、各階の扉のパネルに適用してもよい。これらのパネル３，４，５は、外周縁部が枠６に固定されている。
【００１１】
補強部材１は、図２に示すように、中央の部品となる第１部材１１と、両端の部品となる第２部材１２とを備える。第１部材１１及び第２部材１２は、それぞれ底壁１１ａ，１２ａと側壁１１ｂ，１２ｂとを有している。底壁１１ａ，１２ａは、パネル３，４，５に接着剤や両面テープなどによって固定される。側壁１１ｂ，１２ｂは、底壁１１ａ，１２ａの平行に延びる両縁から立ち上がっている。
【００１２】
第１部材の側壁１１ｂの縁１１ｃは、第１部材１１に重ね合わされた第２部材１２の重なり部１２ｃの縁１２ｄを挟むように、底壁１１ａに向かって内側に折り返されている。また、第１部材１１の側壁１１ｂは、第１部材が延びる方向の両端よりの位置にそれぞれ底壁１１ａに沿う方向に延びる長孔１１ｄが設けられている。なお、長孔１１ｄは、それぞれ第２部材１２と重なり合う範囲に複数設けても良い。また、長孔１１ｄは、図１に示すように一続きではなく、底壁１１ａの延びる方向に沿って複数に分割されていても良い。
【００１３】
第２部材１２の重なり部１２ｃは、第１部材１１の底壁１１ａと側壁１１ｂとで囲われる内側に接する大きさに形成されている。重なり部１２ｃには、第１部材１１の側壁１１ｂに設けられた長孔１１ｄに通される固定ビス１３と螺合するねじ孔１４が設けられている。このねじ孔１４は、底壁１２ａと側壁１２ｂとで囲われる内側に向かって側壁１２ｂをフレア加工した孔の内面にねじ溝を形成したものである。ねじ孔１４を作る代わりに、ナットを固定ビス１３と螺合させてもよいし、このナットを側壁１２ｂに点付け溶接しておいても良い。また、ねじ溝を形成する代わりに、固定ビス１３としてタップねじを使用しても良い。
【００１４】
また、重なり部１２ｃ以外の第２部材１２の底壁１２ａは、第１部材１１と第２部材１２とが重ね合わされた状態で、パネル３，４，５に固定される面が第１部材１１の底壁１１ａと面一になるように形成されている。重なり部１２ｃ以外の第２部材１２の側壁１２ｂは、底壁１２ａと同様に第１部材１１の側壁１１ｂと面一に形成されている。第２部材１２の重なり部１２ｃと反対側の底壁１２ａの端には、底壁１２ａに沿って延びるタブ１５が形成されている。このタブ１５には、かご室２の枠６に固定するためのボルト孔１６が設けられている。なお、このボルト孔１６は、第２部材１２の底壁１２ａに直接設けても良い。また、タブ１５は、底壁１２ａから立ち上がっていても良い。
【００１５】
このように形成された補強部材１は、図３に示すように、重なり部１２ｃが第１部材１１の内側に差し込まれ、側壁１１ｂにあてがわれたワッシャ１７と長孔１１ｄを通して固定ビス１３がねじ孔１４に螺合されることで、第１部材１１と第２部材１２とが固定される。このとき、補強部材１の長さがパネル３，４，５の大きさに合うように、第１部材１１と第２部材１２との重なり量は、長孔１１ｄに沿って固定ビス１３の締付け位置を変えることで調節することができる。
【００１６】
したがって、パネル３，４，５の大きさがエレベータの仕様に応じて異なる場合でも、第１部材１１と第２部材１２との重なり量を調節することで所望する長さの補強部材１を用意することができる。また、重なり量で調節できる範囲を超える場合は、中央の部品となる第１部材１１を別の長さのものと交換するだけで、重なり量によって調節できる範囲を変えることができる。したがって、大きさの異なるパネルの一つ一つに対応させて補強部材１を製作しなくても良い。また、固定ビス１３で固定しているので、かご室２を組み立てる際に補強部材１の長さを調節し直すことができる。
【００１７】
第１部材１１の底壁１１ａと第２部材１２の底壁１２ａとは、重ね合わせた状態で面一になるように形成されているので、補強部材１をパネル３，４，５に歪を生じさせること無く取り付けることができる。
【００１８】
本発明に係る第２の実施形態の補強部材１について、図４を参照して説明する。なお、第１の実施形態の補強部材１と同じ機能を有した構成については、同一の符号を付してその説明を省略する。
【００１９】
図４に示すように、第２の実施形態の補強部材１は、図３に示した第１の実施形態の補強部材１と比べて第１部材１１と第２部材１２との固定方法が異なる。また、図４に示すように、補強部材１は、長孔１１ｄとねじ孔１４とが形成されていない。
【００２０】
第１部材１１と第２部材１２との重なり量は、図４中に示すように第１部材１１の側壁１１ｂの縁１１ｃを第２部材１２の側壁１２ｂの縁１２ｄとともにかしめて加締部Ｓで仮止めした後、底壁１１ａ，１２ａ同士、側壁１１ｂ，１２ｂ同士をそれぞれスポット溶接Ｘによって固定している。
【００２１】
したがって、第１の実施形態の補強部材１と同様に、パネル３，４，５の大きさがエレベータの仕様に応じて異なる場合でも、第１部材１１と第２部材１２との重なり量を調節することで、各パネル３，４，５の大きさに対応した所望の長さの補強部材１を用意することができる。また、固定ビス１３を使用しないので、部品点数が少ない。
【００２２】
なお、補強部材１の長さが変わらない程度に、加締部Ｓによって第１部材１１と第２部材１２とが互いに固定されていれば、スポット溶接Ｘは、必ずしも必要ではない。また、加締部Ｓによって仮止めしなくても、スポット溶接Ｘを直接行なうことができれば、縁１１ｃ，１２ｄをかしめる必要はない。スポット溶接Ｘは、接合強度が充分に得られる場合、底壁１１ａ，１２ａ同士、または、側壁１１ｂ，１２ｂ同士のどちらかにのみ行なっても良い。
【００２３】
本発明に係る第３の実施形態の補強部材について図５及び図６を参照して説明する。なお、第１及び第２の実施形態の補強部材１と同じ機能を有した構成については、同一の符号を付してその説明を省略する。図５に示す補強部材１は、図２に示した第１の実施形態の補強部材１と比べ底壁１１ａ，１２ａが延びる方向に第１部材１１と第２部材１２とを摺動可能に嵌合させる方法が異なる。
【００２４】
図５に示す補強部材１の第１部材１１と第２部材１２とは、それぞれの底壁１１ａ，１２ａが互いに離れる方向への移動を拘束する溝状の係合部１１ｅ，１２ｅをそれぞれの側壁１１ｂ，１２ｂに備えている。なお、係合部１１ｅ，１２ｅの断面形状は、図６に示す矩形の他に、円弧形、楔形などでも良い。
【００２５】
第１部材１１と第２部材１２の側壁１１ｂ，１２ｂの縁１１ｃ，１２ｄは、揃えられている。第１部材１１と第２部材１２とは、揃えられた縁１１ｃと縁１２ｄとをへり継手状にタック溶接（千鳥溶接）Ｗで固定する。タック溶接Ｗの箇所は、第１部材１１と第２部材１２とが係合部１１ｅ，１２ｅに沿って移動しない程度であれば良い。
【００２６】
このように形成された補強部材１は、第１及び第２の実施形態の補強部材１と同様に、パネル３，４，５の大きさがエレベータの仕様に応じて異なる場合でも、第１部材１１と第２部材１２との重なり量を調節することで、各パネル３，４，５の大きさに対応した所望の長さに用意することができる。また、固定ビス１３を使用しないので、部品点数が少ない。第１部材１１の底壁１１ａと第２部材１２の底壁１２ａとが面一に形成されているので、パネル３，４，５に歪が生じにくい。
【００２７】
なお、第１部材１１と第２部材１２との固定方法は、タック溶接Ｗのほか、係合部１１ｅ，１２ｅを加締めても良い。また、溶接については、第１部材１１と第２部材１２とが重なり合う部分の端をすみ肉溶接、或いは点付け溶接しても良い。この場合、第１部材１１の端部と第２部材１２の側壁１２ｂとをすみ肉溶接しても良いし、第１部材１１の側壁１１ｂと第２部材の端部とをすみ肉溶接しても良いし、これら両方の箇所を溶接しても良い。
【００２８】
また、第１から第３の実施形態の補強部材１は、第１部材１１と第２部材１２とを上述の方法以外の方法で固定しても良い。例えば、第１部材１１と第２部材１２とが重なり合う部分を接着したり、側壁１１ｂ，１２ｂが重なり合う部分をタップねじで直接孔を開けてねじ止めしたり、リベット接合したりしても良い。
【００２９】
また、各実施形態において、第１部材１１を中央部品に適用し、第２部材１２を端部品に適用して説明したが、図１の扉のパネル５に取り付けた補強部材１のように、第１部材１１の一端にタブ１５を設けて第１部材１１を端部品にし、第２部材１２の両端を重なり部１２ｃとして加工して第２部材１２を中央部品にしても良い。さらに、図１の天井のパネル４に取り付けた補強部材１のように、補強部材１をそれぞれ１つの第１部材１１と第２部材１２とで構成し、第１部材１１を一方の端部にし、第２部材１２を他方の端部にしても良い。この場合、第１部材１１及び第２部材１２のそれぞれにタブ１５が設けられる。
【００３０】
【発明の効果】
本発明の補強部材によれば、第１部材と第２部材とを備え、第１部材と第２部材とがパネルに沿って摺動可能に重ね合わされている。したがって、補強部材は、パネルの大きさがエレベータの仕様に応じて異なる場合でも、第１部材と第２部材との重なり量を調節することで所望する長さに用意することができる。また、第１部材の底壁と第２部材の底壁とは、重ね合わせた状態で面一になるように形成されているので、パネルに歪を生じさせること無く補強部材を取り付けることができる。
【図面の簡単な説明】
【図１】本発明に係る第１の実施形態の補強部材を用いたエレベータのかごを示す斜視図。
【図２】図１に記載の補強部材を示す分解斜視図。
【図３】図２の補強部材を組合わせた状態で止めねじの部分に沿って示す断面図。
【図４】本発明に係る第２の実施形態の補強部材の中央部材と端部材との接合部を示す断面図。
【図５】本発明に係る第３の実施形態の補強部材を示す斜視図。
【図６】図５中のＦ６−Ｆ６に沿って示す補強部材の断面図。
【符号の説明】
１…補強部材、２…かご室、３…（側壁の）パネル、４…（天井の）パネル、５…（扉の）パネル、１１…第１部材、１１ａ…底壁、１１ｂ…側壁、１１ｃ…縁、１１ｅ…係合部、１２…第２部材、１２ａ…底壁、１２ｂ…側壁、１２ｃ…重なり部、１２ｄ…縁、１２ｅ…係合部。
【図１】
2005041598.tif 000003
【図２】
2005041598.tif 000004
【図３】
2005041598.tif 000005
【図４】
2005041598.tif 000006
【図５】
2005041598.tif 000007
【図６】
2005041598.tif 000008